(57)【要約】【課題】装置の最大消費電力を抑制することができ、画像形成装置に内蔵する電源装置の電源容量を抑制することが可能な画像形成装置を提供する。【解決手段】本発明の画像形成装置１０は、自動原稿給紙装置における原稿搬送機構を駆動させるためのＡＤＦモータと、原稿台上の原稿を読み取るための原稿読み取り機構を駆動するためのキャリッジモータとを備えるものであり、さらにシート材上のトナーを定着する定着装置のヒータとして定着主ヒータ１６と定着副ヒータ１７とからなる２つのヒータを備え、定着副ヒータ１７の消費電力は定着主ヒータ１６の消費電力以下であり、ＡＤＦモータ及びキャリッジモータの駆動開始、又は、ＡＤＦモータかキャリッジモータかいずれか一方の駆動開始と同時に定着副ヒータ１７をオンするように制御がなされる。【選択図】図１
2007293220.tif 000002
【特許請求の範囲】
【請求項１】
自動原稿給紙装置における原稿搬送機構を駆動させるためのＡＤＦモータを備える画像形成装置において、
シート材上のトナーを定着する定着装置のヒータとして定着主ヒータと定着副ヒータとからなる２つのヒータを備え、該定着副ヒータの消費電力は該定着主ヒータの消費電力以下であり、該ＡＤＦモータの駆動開始と同時に該定着副ヒータをオンすることを特徴とする画像形成装置。
【請求項２】
原稿台上の原稿を読み取るための原稿読み取り機構を駆動するためのキャリッジモータを備える画像形成装置において、
シート材上のトナーを定着する定着装置のヒータとして定着主ヒータと定着副ヒータとからなる２つのヒータを備え、該定着副ヒータの消費電力は該定着主ヒータの消費電力以下であり、該キャリッジモータの駆動開始と同時に該定着副ヒータをオンすることを特徴とする画像形成装置。
【請求項３】
自動原稿給紙装置における原稿搬送機構を駆動させるためのＡＤＦモータと、原稿台上の原稿を読み取るための原稿読み取り機構を駆動するためのキャリッジモータとを備える画像形成装置において、
シート材上のトナーを定着する定着装置のヒータとして定着主ヒータと定着副ヒータとからなる２つのヒータを備え、該定着副ヒータの消費電力は該定着主ヒータの消費電力以下であり、該ＡＤＦモータ及び該キャリッジモータの駆動開始、又は、該ＡＤＦモータか該キャリッジモータかいずれか一方の駆動開始と同時に該定着副ヒータをオンすることを特徴とする画像形成装置。
【請求項４】
自動原稿給紙装置における原稿搬送機構を駆動させるためのＡＤＦモータと、該ＡＤＦモータを制御する画像読取メカ制御部と、画像データ処理を行うコントローラ部とを備える画像形成装置において、
シート材上のトナーを定着する定着主ヒータと、消費電力が該定着主ヒータの消費電力以下である定着副ヒータと、該定着主ヒータと該定着副ヒータの温度調節制御を行うエンジンメカ制御部とを備え、該画像読取メカ制御部は、該ＡＤＦモータの駆動開始を該エンジンメカ制御部に報知し、該報知を受けると該エンジンメカ制御部は該定着副ヒータをオンすることを特徴とする画像形成装置。
【請求項５】
原稿台上の原稿を読み取るための原稿読み取り機構を駆動するためのキャリッジモータと、該キャリッジモータを制御する画像読取メカ制御部と、画像データ処理を行うコントローラ部とを備える画像形成装置において、
シート材上のトナーを定着する定着主ヒータと、消費電力が該定着主ヒータの消費電力以下である定着副ヒータと、該定着主ヒータと該定着副ヒータの温度調節制御を行うエンジンメカ制御部とを備え、該画像読取メカ制御部は、該キャリッジモータの駆動開始を該エンジンメカ制御部に報知し、該報知を受けると該エンジンメカ制御部は該定着副ヒータをオンすることを特徴とする画像形成装置。
【請求項６】
自動原稿給紙装置における原稿搬送機構を駆動させるためのＡＤＦモータと、原稿台上の原稿を読み取るための原稿読み取り機構を駆動するためのキャリッジモータと、該ＡＤＦモータと該キャリッジモータとを制御する画像読取メカ制御部と、画像データ処理を行うコントローラ部とを備える画像形成装置において、
シート材上のトナーを定着する定着主ヒータと、消費電力が該定着主ヒータの消費電力以下である定着副ヒータと、該定着主ヒータと該定着副ヒータの温度調節制御を行うエンジンメカ制御部とを備え、該画像読取メカ制御部は、該ＡＤＦモータ及び該キャリッジモータの駆動開始、又は、該ＡＤＦモータか該キャリッジモータかいずれか一方の駆動開始を該エンジンメカ制御部に報知し、該報知を受けると該エンジンメカ制御部は該定着副ヒータをオンすることを特徴とする画像形成装置。
【請求項７】
該コントローラ部と該エンジンメカ制御部とは同一の基板上に搭載されることを特徴とする請求項４乃至請求項７のいずれかに記載の画像形成装置。
【請求項８】
該コントローラ部と該画像読取メカ制御部とは同一の基板上に搭載されることを特徴とする請求項４乃至請求項７のいずれかに記載の画像形成装置。
【請求項９】
該コントローラ部と該エンジンメカ制御部と該画像読取メカ制御部とは同一の基板上に搭載されることを特徴とする請求項４乃至請求項７のいずれかに記載の画像形成装置。
【請求項１０】
該定着主ヒータと該定着副ヒータとは同時にオンにならないことを特徴とする請求項１乃至請求項９のいずれかに記載の画像形成装置。
【発明の詳細な説明】
【技術分野】
【０００１】
本発明は、特に自動原稿給紙装置（ＡＤＦ）を備える比較的消費電力が高めの画像形成装置に係り、内蔵する電源装置の電源容量をなるべく抑制することが可能で、装置の小型化、低コスト化を図ることができる画像形成装置に関するものである。
【背景技術】
【０００２】
現在市販されている複写機やプリンタ、ファクシミリ等の画像形成装置においては、複数枚の原稿束を、原稿読み取り部の原稿載置台上へと自動的に順送りで搬送するための自動原稿給紙装置（Ａｕｔｏｍａｔｉｃ  Ｄｏｃｕｍｅｎｔ  Ｆｅｅｄｅｒ：ＡＤＦ）を搭載するものが多い。画像形成装置においては、１分間に印刷することが可能な枚数（ｐａｇｅ  ｐｅｒ  ｍｉｎｕｔｅ：ｐｐｍ）が、印刷速度性能の一つの目安とされることが多いが、このｐｐｍを向上させるためには、自動原稿給紙装置（ＡＤＦ）が搬送可能な原稿の枚数を向上させることが必須となる。また、自動原稿給紙装置（ＡＤＦ）の能力向上にあわせて、原稿載置台上の原稿を読み取るスピードを向上させることも重要となってくる。原稿を読み取るためのＣＣＤ（或いは、ＣＣＤが固定されている場合には読み取り用の光学系）を駆動するためには、ＣＣＤのキャリッジモータが用いられるし、また、自動原稿給紙装置（ＡＤＦ）では原稿搬送のために搬送用のモータが備えられている。
【０００３】
特許文献１（特開２００２−１１２０３４号公報）には、ＡＤＦの搬送機構として、ステッピングモータ等のＡＤＦモータによって駆動されて、原稿台に載置された原稿を一枚ずつコンタクトガラスへ向けて搬送する機構、及び、照明ランプとミラーを備えてコンタクトガラスに沿って走行可能な第１キャリッジと、ミラーを備えてコンタクトガラスに沿って走行可能な第２キャリッジの２つのキャリッジを、ステッピングモータ等のキャリッジモータによって駆動する機構が開示されている。
【特許文献１】特開２００２−１１２０３４号公報
【発明の開示】
【発明が解決しようとする課題】
【０００４】
画像形成装置の印刷速度を高速化するために、自動原稿給紙装置（ＡＤＦ）の搬送処理能力を向上させたり、或いは、原稿読み取り能力の向上を向上させたりすることに伴って、自動原稿給紙装置（ＡＤＦ）の搬送用のモータ、原稿読み取り素子（光学系）駆動用のモータでの消費電流が大きくなる。
【０００５】
ところで、画像形成装置が消費する電力において、大きな部分を占めるのが、シート材のトナーを定着させるための定着装置のヒータで消費される電力であり、上記のような印刷速度の高速化に伴い、この定着装置における消費電力も大きくなる。特に、近年、定着品質を確保するために、定着装置における定着ローラ、加圧ローラの双方に別々に加熱ヒータを設けるケース、また、加熱ヒータをＢ５サイズに対応した小幅紙用ヒータとＡ４サイズに対応した主ヒータとの２ヒータ、あるいは、加圧ローラも含め３ヒータで構成するケースなどもあり、この定着装置における電力消費量は増大する傾向にある。
【０００６】
以上のような消費電力の増大に対応するために、画像形成装置に内蔵する電源装置の電源容量を大きくすることは、装置の小型化、低コスト化を妨げる要因となるので、できるだけ回避したいという要請がある。というのは、画像形成装置全体の消費電力が大きくなり電源容量を増すと、ユーザでの商用電源の準備に専用コンセントを必要とする等の手間がかかる。また、従来、ユーザに対しリース契約等で提供した大型複写機から、ユーザに売り切りで提供するＭＦＰ（マルチファンクションプリンタ）に市場が変化してきており、そのためにも、装置の小型化、低コスト化が求められている。また、装置の電源容量を増すと、欧州での電源電圧変動を規制するＥＭＣ規制（ＥＮ６１０００−３−３：フリッカ）の遵守を妨げる原因となる。
【課題を解決するための手段】
【０００７】
そのために、請求項１に係る本発明は、自動原稿給紙装置における原稿搬送機構を駆動させるためのＡＤＦモータを備える画像形成装置において、シート材上のトナーを定着する定着装置のヒータとして定着主ヒータと定着副ヒータとからなる２つのヒータを備え、該定着副ヒータの消費電力は該定着主ヒータの消費電力以下であり、該ＡＤＦモータの駆動開始と同時に該定着副ヒータをオンすることを特徴とする。
【０００８】
また、請求項２に係る本発明は、原稿台上の原稿を読み取るための原稿読み取り機構を駆動するためのキャリッジモータを備える画像形成装置において、シート材上のトナーを定着する定着装置のヒータとして定着主ヒータと定着副ヒータとからなる２つのヒータを備え、該定着副ヒータの消費電力は該定着主ヒータの消費電力以下であり、該キャリッジモータの駆動開始と同時に該定着副ヒータをオンすることを特徴とする。
【０００９】
また、請求項３に係る本発明は、自動原稿給紙装置における原稿搬送機構を駆動させるためのＡＤＦモータと、原稿台上の原稿を読み取るための原稿読み取り機構を駆動するためのキャリッジモータとを備える画像形成装置において、シート材上のトナーを定着する定着装置のヒータとして定着主ヒータと定着副ヒータとからなる２つのヒータを備え、該定着副ヒータの消費電力は該定着主ヒータの消費電力以下であり、該ＡＤＦモータ及び該キャリッジモータの駆動開始、又は、該ＡＤＦモータか該キャリッジモータかいずれか一方の駆動開始と同時に該定着副ヒータをオンすることを特徴とする。
【００１０】
また、請求項４に係る本発明は、自動原稿給紙装置における原稿搬送機構を駆動させるためのＡＤＦモータと、該ＡＤＦモータを制御する画像読取メカ制御部と、画像データ処理を行うコントローラ部とを備える画像形成装置において、シート材上のトナーを定着する定着主ヒータと、消費電力が該定着主ヒータの消費電力以下である定着副ヒータと、該定着主ヒータと該定着副ヒータの温度調節制御を行うエンジンメカ制御部とを備え、該画像読取メカ制御部は、該ＡＤＦモータの駆動開始を該エンジンメカ制御部に報知し、該報知を受けると該エンジンメカ制御部は該定着副ヒータをオンすることを特徴とする。
【００１１】
また、請求項５に係る本発明は、原稿台上の原稿を読み取るための原稿読み取り機構を駆動するためのキャリッジモータと、該キャリッジモータを制御する画像読取メカ制御部と、画像データ処理を行うコントローラ部とを備える画像形成装置において、シート材上のトナーを定着する定着主ヒータと、消費電力が該定着主ヒータの消費電力以下である定着副ヒータと、該定着主ヒータと該定着副ヒータの温度調節制御を行うエンジンメカ制御部とを備え、該画像読取メカ制御部は、該キャリッジモータの駆動開始を該エンジンメカ制御部に報知し、該報知を受けると該エンジンメカ制御部は該定着副ヒータをオンすることを特徴とする。
【００１２】
また、請求項６に係る本発明は、自動原稿給紙装置における原稿搬送機構を駆動させるためのＡＤＦモータと、原稿台上の原稿を読み取るための原稿読み取り機構を駆動するためのキャリッジモータと、該ＡＤＦモータと該キャリッジモータとを制御する画像読取メカ制御部と、画像データ処理を行うコントローラ部とを備える画像形成装置において、シート材上のトナーを定着する定着主ヒータと、消費電力が該定着主ヒータの消費電力以下である定着副ヒータと、該定着主ヒータと該定着副ヒータの温度調節制御を行うエンジンメカ制御部とを備え、該画像読取メカ制御部は、該ＡＤＦモータ及び該キャリッジモータの駆動開始、又は、該ＡＤＦモータか該キャリッジモータかいずれか一方の駆動開始を該エンジンメカ制御部に報知し、該報知を受けると該エンジンメカ制御部は該定着副ヒータをオンすることを特徴とする。
【００１３】
また、請求項７に係る本発明は、請求項４乃至請求項７のいずれかに記載の画像形成装置において、該コントローラ部と該エンジンメカ制御部とは同一の基板上に搭載されることを特徴とする。
【００１４】
また、請求項８に係る本発明は、請求項４乃至請求項７のいずれかに記載の画像形成装置において、該コントローラ部と該画像読取メカ制御部とは同一の基板上に搭載されることを特徴とする。
【００１５】
また、請求項９に係る本発明は、請求項４乃至請求項７のいずれかに記載の画像形成装置において、該コントローラ部と該エンジンメカ制御部と該画像読取メカ制御部とは同一の基板上に搭載されることを特徴とする。
【００１６】
また、請求項１０に係る本発明は、請求項１乃至請求項９のいずれかに記載の画像形成装置において、該定着主ヒータと該定着副ヒータとは同時にオンにならないことを特徴とする。
【発明の効果】
【００１７】
本発明によれば、モータ（ＡＤＦモータ及びキャリッジモータ、又は、ＡＤＦモータかキャリッジモータかいずれか一方）の駆動開始と定着副ヒータの動作開始とを一致させて、モータの動作と定着主ヒータの動作はなるべく重ならないように制御される。従って、装置の最大消費電力を抑制することができ、画像形成装置に内蔵する電源装置の電源容量を抑制することが可能となり、装置の小型化、低コスト化を図ることができる。また、全体（全期間）を通じての消費電力の変動差は小さくなり、消費電力変動（リップル）を減らすことができ、本発明の画像形成装置１０によれば、電源電圧変動を規制するＥＭＣ規制（ＥＮ６１０００−３−３：フリッカ）の遵守が容易になる。
【発明を実施するための最良の形態】
【００１８】
以下、本発明の実施の形態を図面を参照しつつ説明する。図１は本発明の実施の形態に係る画像形成装置の構成の概要を示す図である。図１において、１０は画像形成装置、１１はコントローラ部、１２は画像読取メカ制御部、１３はエンジンメカ制御部、１４はモータ、１５は操作パネル、１６は定着主ヒータ、１７は定着副ヒータ、１８は定着サーミスタ、２０はホストコンピュータである。画像形成装置１０は電子写真方式の複写機やプリンタ、ファクシミリ等であり、内部に定着装置を有するものであればどのようなものでもよいが、特に、本実施形態では、マルチファンクションプリンタ（ＭＦＰ）で、特に自動原稿給紙装置（Ａｕｔｏｍａｔｉｃ  Ｄｏｃｕｍｅｎｔ  Ｆｅｅｄｅｒ：ＡＤＦ）を搭載するものを想定し説明する。特に自動原稿給紙装置（ＡＤＦ）は、複数枚の原稿束を、原稿読み取り部の原稿載置台上へと自動的に順送りで搬送するものである。図１の画像形成装置１０のブロック図は、本発明を説明するために必要な最低限の構成のみを示している。ホストコンピュータ２０は、画像形成装置１０のプリンタ機能を用いるときに、印刷命令を当該画像形成装置１０に対して発するものであり、セントロニクス、ＵＳＢ、ネットワーク等の適宜インターフェイス手段を介して画像形成装置１０に接続されている。
【００１９】
コントローラ部１１、画像読取メカ制御部１２、エンジンメカ制御部１３はそれぞれ別の基板ユニットにて構成されるものであり、それぞれの基板にはマイクロコンピュータが搭載されて、相互の制御部間で制御状態をコマンド／ステータス通信を行う。これにより、画像読取メカ制御部１１、コントローラ部１２、エンジンメカ制御部１３の連携動作が円滑に実施され、例えば、複写機能が実現される。
【００２０】
コントローラ部１１は、ホストコンピュータ２０からの指令を受け画像データを展開したり、操作パネル１５からユーザの指令を受けたりして画像形成装置１０のメイン制御を行うものであり、画像読取メカ制御部１２は、自動原稿給紙装置（ＡＤＦ）の搬送機構に用いられる不図示のＡＤＦモータや、原稿を読み取るためのＣＣＤ（或いは、ＣＣＤが固定されている場合には読み取り用の光学系）を駆動するＣＣＤのキャリッジモータ等の画像読み取りに係るメカニズムの制御を行うものであり、エンジンメカ制御部１３は現像装置や定着装置等の画像エンジンメカニズムの制御を司るものである。
【００２１】
本実施形態では原稿紙送りの為のＡＤＦモータ、ＣＣＤセンサヘッド（あるいは光学系）移動の為のキャリッジモータをまとめてモータ１４と称することとし、モータが動作することとは、ＡＤＦモータ及びキャリッジモータの両方が同時に動作すること、或いは、ＡＤＦモータ又はキャリッジモータのいずれか一方が動作することと定義する。なお、複写機能の毎分頁速度（ｐｐｍ）を高速化すると、このモータには大電流が流れる。
【００２２】
本発明の画像形成装置１０に内蔵される定着装置は、定着主ヒータ１６（例えば、６００Ｗのもの）、定着副ヒータ１７（例えば、４００Ｗのもの）からなる主副のヒータを備えるものである。ここで、定着副ヒータ１７の消費電力は定着主ヒータ１６の消費電力以下であると定義する。図２は、本発明の画像形成装置１０に内蔵される定着装置のヒータ配列を模式的に示す図である。図２において、２０は加熱ローラ、２１は加圧ローラであり、図２（ａ）は加熱ローラに定着主ヒータ１６、加圧ローラに定着副ヒータ１７を配列した例について示しており、図２（ｂ）は加熱ローラの長手方向中央部に定着主ヒータ１６、その両脇に定着副ヒータ１７を配列した例について示している。本発明においては、このような主、副の定着ヒータを備えるものであれば、その配列については図２（ａ）或いは図２（ｂ）に示すもののいずれの配列のものでも良い。これらのヒータにおいては加熱方式として、従来周知のハロゲンランプを用いる方式やＩＨ（電磁誘導）方式などを用いることができるが、本実施形態においては加熱方式としてハロゲンランプを想定して説明する。
【００２３】
定着サーミスタ１８は、定着装置の温度を検出する温度検出手段であり、検出結果はエンジンメカ制御部１３にて、定着主ヒータ１６と定着副ヒータ１７のオンオフタイミングを制御するために用いられる。なお、定着品質を確保するため、定着サーミスタ１８を複数設け、複数の定着サーミスタ１８の検出結果に基づき定着主ヒータ１６と定着副ヒータ１７のオンオフ制御を細かく行っても良い。
【００２４】
次に、本発明におけるモータ動作のタイミングと定着主ヒータ１６と定着副ヒータ１７のオンオフタイミングについて説明する。図３は、本発明の実施の形態に係る画像形成装置の制御のシーケンスを示す図であり、（Ａ）、（Ｂ）はそれぞれシーケンスの一つの例を示している。図３（Ａ）、（Ｂ）のそれぞれにおいて、（ａ）はモータ動作のオンオフのタイミング、（ｂ）は定着副ヒータ１７のオンオフタイミング、（ｃ）は定着主ヒータ１６のオンオフタイミング、（ｄ）は画像形成装置１０の消費電力の推移とその内訳のパーセンテージを示している。（ｄ）において、白抜きの部分は、本発明とは関係のない現像装置やファンにおける電力消費である。図３（Ａ）は、定着副ヒータ１７の動作期間がモータの動作期間がより長い場合（定着主ヒータ１６の稼働期間が短くて済む場合）、また、図３（Ｂ）は、定着副ヒータ１７の動作期間がモータの動作期間がより短い場合（定着主ヒータ１６の稼働期間を長くしなければならない場合）を示している。
【００２５】
図１のブロック図及び図３のシーケンス図を参照しつつ、本発明の画像形成装置１０の動作の流れについて説明する。
（１）ユーザの操作パネル１５からの操作により、画像形成装置１０における複写機機能によってコピー開始の指令が成される。
（２）画像読取メカ制御部は、モータ（ＡＤＦモータ及び／又はキャリッジモータ）回転し、原稿を給送する。
（３）画像読取メカ制御部１２は、（２）と同時に、コントローラ部１１にモータ（ＡＤＦモータ及び／又はキャリッジモータ）１４回転開始を通知する。
（４）コントローラ部１１は、（３）に従い、エンジンメカ制御部１３にモータ（ＡＤＦモータ及び／又はキャリッジモータ）１４回転開始を通知する。
（５）エンジンメカ制御部１３は、（４）に従い、定着副ヒータ１７を点灯する。
（６）エンジンメカ制御部１３は、定着サーミスタ１８の検出温度等に従い、（５）の所定時間後、定着副ヒータ１７を消灯する。
（７）エンジンメカ制御部１３は、（６）と同時に、定着主ヒータ１６を点灯する。
（８）エンジンメカ制御部１３は、定着サーミスタ１８の検出温度等に従い、（７）の所定時間後、定着主ヒータ１６を消灯する。
（９）所定枚数複写終了するまで、（２）〜（８）を繰り返す。
【００２６】
以上（１）−（１０）が本発明の画像形成装置１０の動作の流れである。次に、このような本発明の画像形成装置１０を実現するための定着装置におけるヒータ制御の流れにつき説明する。図４は、本発明の画像形成装置１０のヒータ制御のフローチャートを示す図であり、図５は、本発明の画像形成装置１０の温度検出ルーチンのフロ−チャートを示す図である。
【００２７】
図４において、ステップＳ０においてヒータ制御が開始されると、ステップＳ１において、コントローラ部１１はユーザの操作パネル１５からの操作により、コピー開始が指令されているかどうかを判定する。コピー開始が指令されていないと判断すると、開始が指令されるまでの間ループする。ステップＳ１において、コピー開始指令が判定されると、次にステップＳ２においてモータ（ＡＤＦモータ及び／又はキャリッジモータ）１４の動作が開始される。このモータ１４動作は、必要となるＡＤＦモータでの原稿搬送やキャリッジモータでのＣＣＤ（或いは、光学系）移動が完了すれば、オフとなる。ステップＳ２の次には、ステップＳ３へと進み、定着副ヒータ１７が点灯される。このように本発明においては、モータ１４の動作と定着副ヒータ１７の動作とがほぼ同時となる。次に、ステップＳ４へと進み、温度検出ルーチンへと進む。
【００２８】
図５に示す温度検出ルーチンはステップＳ２０で開始されると、Ｓ２１へと進み、エンジンメカ制御部１３が定着サーミスタ１８からの検出温度情報を獲得する。そして、ステップＳ２３へと進み、定着サーミスタ１８で検出された温度が、エンジンメカ制御部１３が設定する温度に達しているかどうかを判定する。もし、達していなければ再び、ステップＳ２１へと戻り、新たな検出温度情報を獲得する。ステップＳ２３で、定着サーミスタ１８で検出された温度が、エンジンメカ制御部１３が設定する温度に達していると判定されると、ステップＳ２４へと進み、リターンされる。
【００２９】
次に、ステップＳ５においては定着副ヒータ１７消灯され、引き続きステップＳ６に進み、定着主ヒータ１６が点灯される。次に、ステップＳ７において、再び温度検出ルーチンにとぶ。ここで、定着サーミスタ１８の検出温度と比較される設定温度は、定着主ヒータ１６にとっての設定温度であることが先の温度検出ルーチンと異なるが、基本的には図５に示される温度検出ルーチンが、定着主ヒータ１６の制御にも適用される。
【００３０】
温度検出ルーチンからリターンされると、次にステップＳ８へと進み、定着主ヒータ１６が消灯される。さらにステップＳ９へと進み、所定枚数の複写が終了しているかどうかが判定され、終了していない場合には、ステップＳ２へとリターンし、終了している場合には、ステップＳ１０へと進み、ヒータ制御を終了する。このように本発明においては、定着主ヒータ１６と定着副ヒータ１７とが同時にオンされることはない。
【００３１】
以上のような制御フローによれば、図３（Ａ）の定着副ヒータ１７の動作期間がモータの動作期間がより長い場合（定着主ヒータ１６の稼働期間が短くて済む場合）には、図３（Ａ）の（ｄ）のように、画像形成装置１０全体の電力消費量はほぼ一定する。一方、図３（Ｂ）の定着副ヒータ１７の動作期間がモータの動作期間がより短い場合（定着主ヒータ１６の稼働期間を長くしなければならない場合）には、図３（Ｂ）の（ｄ）のように、定着主ヒータ１６動作タイミングとモータ４の動作タイミングが一部重なる「重複動作期間」が存在することにはなるが、そのような期間が存在したとしてもそれはそれほど長い時間ではないので、画像形成装置１０全体の電力消費量は比較的変動少なく構成することができる。
【００３２】
本発明の画像形成装置１０の動作の流れにおいては、以上のように、モータ（ＡＤＦモータ及び／又はキャリッジモータ）の動作開始と定着副ヒータ１７の動作開始とを一致させて、モータ（ＡＤＦモータ及び／又はキャリッジモータ）の動作と定着主ヒータ１６の動作はなるべく重ならないように制御される。従って、装置の最大消費電力を抑制することができ、画像形成装置１０に内蔵する電源装置の電源容量を抑制することが可能となり、装置の小型化、低コスト化を図ることができる。電源装置、ひいては装置全体の小型化、低コスト化が可能となれば、ユーザでの商用電源の準備に専用コンセントを必要とすることはないし、また、ユーザに売り切りで提供するＭＦＰ（マルチファンクションプリンタ）市場に対しても小型の製品を供給することができる。
【００３３】
また、ＡＤＦモータ動作と定着副ヒータ１７の動作期間をほぼ一致させ、定着主ヒータ１６の動作時となるべく重ならないようにしているので、全体（全期間）を通じての消費電力の変動差は小さくなり、消費電力変動（リップル）を減らすことができる。従って、本発明の画像形成装置１０によれば、電源電圧変動を規制するＥＭＣ規制（ＥＮ６１０００−３−３：フリッカ）の遵守が容易となる。
【００３４】
なお、これまでしめした実施形態においては、コントローラ部１１、画像読取メカ制御１２、エンジンメカ制御部１３は、各々分割された制御ブロック(基板)を有し、各制御ブロックに備えられたマイクロコンピュータにより、相互の制御ブロック間で制御状態をコマンド／ステータス通信により、共有されていた。しかし、これらコントローラ部１１、画像読取メカ制御１２、エンジンメカ制御部１３は単一の基板にまとめられても良く、単一のマイクロコンピュータにまとめソフトウェアレベルで、各機能間の制御状態を共有しても良い。また、コントローラ部１１とエンジンメカ制御部１３のみまとめても良く、コントローラ部１１と画像読取メカ制御部１２のみまとめても良い。
【図面の簡単な説明】
【００３５】
【図１】本発明の実施の形態に係る画像形成装置の構成の概要を示す図である
【図２】本発明の画像形成装置に内蔵される定着装置のヒータ配列を説明するための図である。
【図３】本発明の実施の形態に係る画像形成装置の制御のシーケンスを示す図である。
【図４】本発明の画像形成装置１０のヒータ制御のフロ−チャートを示す図である。
【図５】本発明の画像形成装置１０の温度検出ルーチンのフロ−チャートを示す図である。
【符号の説明】
【００３６】
１０・・・画像形成装置、１１・・・コントローラ部、１２・・・画像読取メカ制御部、１３・・・エンジンメカ制御部、１４・・・モータ、１５・・・操作パネル、１６・・・定着主ヒータ、１７・・・定着副ヒータ、１８・・・定着サーミスタ、２０・・・ホストコンピュータである。
【図１】
2007293220.tif 000003
【図２】
2007293220.tif 000004
【図３】
2007293220.tif 000005
【図４】
2007293220.tif 000006
【図５】
2007293220.tif 000007